(57)【特許請求の範囲】
【請求項１】
室外機と、被調和空間の壁際ゾーンのうち、何れかの壁一面側のゾーンであるペリメーターゾーンに集めて配置され、温度調整した温調空気を前記ペリメーターゾーンに吹出す１又は複数台の室内機とを有し、前記室外機と前記室内機との間で冷媒回路を形成して冷房運転又は暖房運転の少なくとも一方を行う空気調和装置と、
前記被調和空間の天井に配置され、前記被調和空間において前記ペリメーターゾーンと反対側の奥側ゾーンに向けて空気を搬送する複数のエア搬送ファンと、
前記空気調和装置及び前記エア搬送ファンを制御する制御装置とを備え、
前記複数のエア搬送ファンは、前記ペリメーターゾーンから前記奥側ゾーンに向かう方向に間隔を空けて配置されており、
前記制御装置は、前記空気調和装置の運転に連動して前記複数のエア搬送ファンのそれぞれの風量が、その配置位置が前記ペリメーターゾーン側から前記奥側ゾーン側に向かう順に小さくなるように運転するようにしたことを特徴とする空気調和システム。
【請求項２】
前記制御装置は、前記空気調和装置が冷房運転の場合、前記複数のエア搬送ファンそれぞれの空気の吹出角度を、略水平方向としたことを特徴とする請求項１記載の空気調和システム。
【請求項３】
前記制御装置は、前記空気調和装置が暖房運転の場合、前記複数のエア搬送ファンのそれぞれの空気の吹出角度を、水平方向に対して下向きの角度とし、その角度が、前記ペリメーターゾーン側から前記奥側ゾーン側に向かう順に大きくなるように運転することを特徴とする請求項１記載の空気調和システム。
【請求項４】
室外機と、被調和空間の壁際ゾーンのうち、何れかの壁一面側のゾーンであるペリメーターゾーンに集めて配置され、温度調整した温調空気を前記ペリメーターゾーンに吹出す１又は複数台の室内機とを有し、前記室外機と前記室内機との間で冷媒回路を形成して冷房運転又は暖房運転の少なくとも一方を行う空気調和装置と、
前記被調和空間の天井に配置され、前記被調和空間において前記ペリメーターゾーンと反対側の奥側ゾーンに向けて空気を搬送する複数のエア搬送ファンと、
前記空気調和装置及び前記エア搬送ファンを制御する制御装置とを備え、
前記複数のエア搬送ファンは、前記ペリメーターゾーンから前記奥側ゾーンに向かう方向に間隔を空けて配置されており、
前記制御装置は、前記空気調和装置の運転に連動して前記複数のエア搬送ファンのそれぞれを、その配置位置に応じて風量を異ならせて運転するようにしており、また、前記空気調和装置が冷房運転の場合と暖房運転の場合とで前記複数のエア搬送ファンのそれぞれの空気の吹出角度を異ならせるようにしており、
前記空気調和装置が冷房運転の場合、前記複数のエア搬送ファンのそれぞれの空気の吹出角度を、略水平方向とし、
前記空気調和装置が暖房運転の場合、前記複数のエア搬送ファンのそれぞれの空気の吹出角度を、水平方向に対して下向きの角度とし、その角度が、前記ペリメーターゾーン側から前記奥側ゾーン側に向かう順に大きくなるように運転することを特徴とする空気調和システム。
【請求項５】
前記制御装置は、前記複数のエア搬送ファンのそれぞれの風量が、その配置位置が前記ペリメーターゾーン側から前記奥側ゾーン側に向かう順に小さくなるように運転することを特徴とする請求項４記載の空気調和システム。
【請求項６】
前記空気調和装置は、暖房運転中に、前記冷媒回路における冷媒の循環方向を暖房運転時とは逆方向にして前記冷媒回路の室外熱交換器の霜取り運転が可能であり、前記制御装置は、前記空気調和装置が霜取り運転を行っている間、前記冷媒回路の室内熱交換器に送風する室内ファンを駆動すると共に、前記複数のエア搬送ファンのそれぞれの空気の吹出角度を、略水平方向としたことを特徴とする請求項１乃至請求項５の何れか一項に記載の空気調和システム。
【発明の詳細な説明】
【技術分野】
【０００１】
本発明は、空気調和システムに関するものである。
【背景技術】
【０００２】
被調和空間の空調に使用される冷媒式の空気調和装置は、圧縮機、四方弁及び室外熱交換器を有する室外機と、減圧装置及び室内熱交換器を有する室内機とから構成される。そして、圧縮機、四方弁、凝縮器、減圧装置及び蒸発器を順次配管で接続して冷媒回路を構成し、冷媒回路の配管内に冷媒を循環させることで暖房又は冷房を行っている。
【０００３】
この種の空気調和装置の室内機には、いわゆるカセット式とダクト式がある（例えば、特許文献１、特許文献２参照）。カセット式の室内機は、室内機を天井等に埋め込み、室内機下面に設けた吹出口から温調空気を室内へと送風している。他方、ダクト式の室内機は、室内機を天井裏に設置し、室内機から天井に設けた吹出口までダクトを延ばし、ダクト及び吹出口を介して温調空気を室内へと送風している。
【０００４】
これらのカセット式やダクト式の空気調和装置を用いて大空間の空調を行うにあたっては、複数のカセット式の室内機を天井に適度な間隔をもって分散配置したり、ダクト式の室内機に接続される複数の吹出口を同様に天井に適度な間隔をもって配置したりしている。このような配置として天井の各所から温調空気を室内に送風することで、大空間の温度分布を均一して快適な空調を提供するようにしている。
【先行技術文献】
【特許文献】
【０００５】
【特許文献１】特許第４７０４２２６号公報（図１）
【特許文献２】特開平１０−２６７３２０号公報（第３頁、図１）
【発明の概要】
【発明が解決しようとする課題】
【０００６】
上記のように大空間の空調を行うにあたり、カセット式の室内機では室内機自身を天井に適度な間隔をもって分散配置するため、室外機の据付位置から各室内機それぞれに冷媒配管を敷設する必要がある。よって、室外機の設置位置からの距離が遠い室内機では冷媒配管が長尺とならざるを得ず、冷媒配管が長尺となると、冷媒の圧力損失もより大きくなるため、短尺の場合と比較して圧縮機の入力が大きくなり損失が増える。よって、システム全体としてみたときに効率が低下してしまうという問題があった。
【０００７】
他方、ダクト式の場合は、室内機の設置箇所は一箇所であるため、室外機から近い箇所に室内機を設置すればよく、冷媒配管が長尺になる問題はない。しかし、各吹出口のそれぞれまで室内機からダクトを延ばす必要がある。このため、被調和空間が大空間で各吹出口までのダクトの総距離が長くなると、その分、ダクト圧損が増える。したがって、室内機側の機外静圧を大きくする必要があり、ダクトに空気を送り込むための室内機の室内ファンの入力が、ダクトの総距離が短い場合と比較して大きくなる。よって、カセット式と同様にダクト式の場合も、損失が増加してシステムとしての効率が低下するという問題があった。
【０００８】
また、近年では、室内の空気を循環させるエア搬送ファンを空気調和装置と併用して用いることで、室内の温度ムラを効率良く解消する技術が提案されている。このように、エア搬送ファンの併用については検討されてきているものの、消費電力量の低減を視野に入れてエア搬送ファンを効果的に制御する点についてまで検討するには至っていない。
【０００９】
本発明は上記のような問題点を解消するためになされたもので、空気調和装置とエア搬送ファンとを併用し、大空間における快適な空調を低消費電力で実現可能な空気調和システムを提供することを目的とする。
【課題を解決するための手段】
【００１０】
本発明に係る空気調和システムは、室外機と、被調和空間の壁際ゾーンのうち、何れかの壁一面側のゾーンであるペリメーターゾーンに集めて配置され、温度調整した温調空気をペリメーターゾーンに吹出す１又は複数台の室内機とを有し、室外機と室内機との間で冷媒回路を形成して冷房運転又は暖房運転の少なくとも一方を行う空気調和装置と、被調和空間の天井に配置され、被調和空間においてペリメーターゾーンと反対側の奥側ゾーンに向けて空気を搬送する複数のエア搬送ファンと、空気調和装置及びエア搬送ファンを制御する制御装置とを備え、複数のエア搬送ファンは、ペリメーターゾーンから奥側ゾーンに向かう方向に間隔を空けて配置されており、制御装置は、空気調和装置の運転に連動して複数のエア搬送ファンのそれぞれの風量が、その配置位置がペリメーターゾーン側から奥側ゾーン側に向かう順に小さくなるように運転するようにしたものである。
【発明の効果】
【００１１】
本発明によれば、大空間における快適な空調を低消費電力で実現可能な空気調和システムを得ることができる。
【図面の簡単な説明】
【００１２】
【図１】（ａ）は、本発明の実施の形態１に係る空気調和システムが適用された部屋の平面図、（ｂ）は、図１（ａ）の側面図である。
【図２】図１のダクト式の室内機の説明図である。
【図３】図１の空気調和装置の冷媒回路の構成を示す図である。
【図４】本発明の実施の形態１に係る空気調和システムの動作を示すフローチャートである。
【図５】図１のエア搬送ファンの冷房用運転の説明図である。
【図６】図１のエア搬送ファンの暖房用運転の説明図である。
【発明を実施するための形態】
【００１３】
実施の形態１．
図１（ａ）は、本発明の実施の形態１に係る空気調和システムが適用された部屋の平面図、図１（ｂ）は、図１（ａ）の側面図である。図１（ａ）、（ｂ）の矢印は送風方向を示している。図２は、図１のダクト式の室内機の説明図である。図１、図２及び後述の図において、同一の符号を付したものは、同一の又はこれに相当するものであり、これは明細書の全文において共通している。
空気調和システム１は、空気調和装置１０と複数のエア搬送ファン５０とを備えており、同一の被調和空間の空調を行うシステムである。空気調和装置１０は、室外機２０と複数の室内機３０とを備えており、室外機２０と複数の室内機３０とは冷媒配管４０で接続され、冷房運転及び暖房運転が可能な冷媒回路（後述する）が構成されている。
【００１４】
室内機３０は、カセット式及びダクト式のどちらでもよく、図１には、カセット式の２台の室内機３０Ａとダクト式の１台の室内機３０Ｂとが混在した例を示している。カセット式の室内機３０Ａでは、室内機筐体の下面に設けられた開口が吹出し口３１Ａとなり、その吹出口３１Ａから温調空気を被調和空間へと吹出す。また、ダクト式の室内機３０Ｂでは、図２に示すように、室内機３０Ｂから天井に設けた吹出口３１Ｂまでダクト３２を延ばし、室内機３０Ｂから吹出した温調空気をダクト３２を介して各吹出口３１Ｂから被調和空間へと吹出す。なお、図２の室内機３０及び室外機２０内に設置されている各機器については後述する。
【００１５】
本実施の形態１の空気調和システム１は、室内機３０Ａの配置や、温調空気を吹出す吹出口３１Ｂの配置、更にはエア搬送ファン５０の配置やその運転方法を工夫することで、室内の温度分布が均一で快適な被調和空間を低消費電力で実現するシステムである。以下、このようなシステムを構成するにあたっての基本の考え方について、まず説明する。
【００１６】
まず、複数の室内機３０の配置であるが、上述したように、被調和空間の温度分布を均一にするためにカセット式の複数の室内機３０を被調和空間に分散配置したり、ダクト式の室内機３０Ｂにおける複数の吹出口３１Ｂを被調和空間に分散配置したりすると、冷媒配管４０が長くなったりダクト３２が長くなったりし、それに起因して空気調和システム１全体としての効率が低下してしまう。このため、本実施の形態１の空気調和システム１では、カセット式にしろダクト式にしろ、複数の室内機３０を特定のゾーンにまとめて設置する。これにより、冷媒配管４０の短尺化を図る。また、ダクト式の室内機３０Ｂにおける吹出口３１Ｂも、被調和空間に分散配置せず、前記特定のゾーンにまとめて設置する。これにより、ダクト３２の短尺化も図る。よって、結局のところ、室内機３０Ａ、室内機３０Ｂ及び吹出口３１Ｂの何れも、特定のゾーンにまとめて設置することになる。
【００１７】
そして、通常、室外機２０は外壁に面して設置されることから、その特定のゾーンとして例えば部屋の中央とすると、室外機２０との間の冷媒配管４０の長さが長くなる。よって、室内機３０の配置位置は被調和空間の壁際ゾーンとする。壁際ゾーンは、壁際から例えば略４ｍ程度以内の空間であり、その壁際ゾーンのうちの何れかの壁一面側のゾーンの天井に、各室内機３０の吹出口３１Ａ、３１Ｂを設ける。壁際ゾーンのうちの何れかの壁一面側のゾーンとは、具体的には、窓２が配置されている壁側とすることが特に好ましい。窓２際の壁際ゾーンは、外気からの熱的影響を特に受けやすく、空調負荷が特に大きいことから、この位置に吹出口３１Ａ、３１Ｂを設けて温調空気が集中して吹出されるようにすることで、空調負荷を効率的に処理することができるからである。以下、壁際ゾーンのうちの何れかの壁一面側のゾーンをペリメーターゾーンという。
【００１８】
このように、複数の室内機３０をまとめて設置すると共に、吹出口３１Ａ、３１Ｂの位置もペリメーターゾーンにまとめることで、繰り返しの説明となるが、冷媒配管４０及びダクト３２の短尺化が可能であり、システム全体の効率向上が期待でき、その結果、省エネ化の向上が期待できる。しかし、各吹出口３１Ａ、３１Ｂをペリメーターゾーンにまとめることで、ペリメーターゾーンから遠い奥側のゾーン（以下、奥側ゾーンという）の温調が十分に行えず、被調和空間の温度分布が不均一となってしまう。よって、このような不均一が生じないように複数のエア搬送ファン５０を設け、ペリメーターゾーンの吹出口３１Ａ、３１Ｂから吹出された温調空気を、複数のエア搬送ファン５０によって奥側ゾーンにも到達させる。これにより、大空間であっても、室内の温度分布を均等にして快適な環境を作り出すことができる。
【００１９】
また、本実施の形態の空気調和システム１では、エア搬送ファン５０の配置やその運転方法についても特徴があるが、その特徴については後述する。
【００２０】
以上により空気調和システム１を構成するにあたっての基本的な考え方が明らかになったところで、図１の説明に戻る。
図１において符号２は窓であり、窓２近傍のペリメーターゾーンの天井裏に複数の室内機３０が集約して設置されている。また、室外機２０は室内機３０の設置領域に近い屋外部分に設置されている。
【００２１】
また、室内機３０Ａの吹出口３１Ａ及び室内機３０Ｂの吹出口３１Ｂもペリメーターゾーンに配置され、室内機３０内部で温度調整された温調空気がペリメーターゾーンに吹出されるようになっている。
【００２２】
エア搬送ファン５０は、いわゆるサーキュレータ等であり、天井部分に設置され、天井付近の空気を吸込んで吹出すことで室内の空気を送風し、室内温度が均一になるようにする。吹出方向は調整可能であり、図１（ｂ）に示すようにほぼ水平方向に吹出すこともできるし、後述の図６に示すように斜め下向きに吹出すことも可能である。エア搬送ファン５０は、モーターによって駆動されるファンであり、インバータ制御等の手段によってモーターの回転数を制御することにより風量も可変することが可能である。
【００２３】
次に、エア搬送ファン５０の配置について説明する。
複数のエア搬送ファン５０は、吹出口３１Ａ、３１Ｂからペリメーターゾーンに吹出される温調空気を奥側ゾーンに効率的に到達させるように、ペリメーターゾーンから奥側ゾーンに向かう方向に間隔を空けて配置されている。この配置とすることで、ペリメーターゾーンに吹出された温調空気を、複数のエア搬送ファン５０でいわばリレーしながら奥側ゾーンに効率的に到達させることができる。
【００２４】
図１には、ペリメーターゾーンに沿って４台１列にエア搬送ファン５０Ａが配置され、そのエア搬送ファン５０Ａの送風方向側（奥側ゾーン側）に間隔を空けて同様に４台１列にエア搬送ファン５０Ｂが配置され、そのエア搬送ファン５０Ｂの送風方向側（奥側ゾーン側）に、同様に間隔を空けて４台１列にエア搬送ファン５０Ｃが配置された例を示している。エア搬送ファン５０の設置台数は、被調和空間の大きさに応じて適宜変更すればよい。なお、空気調和システム１は、被調和空間として、一台の室内機だけでは室内の温度を均一にすることが難しい大空間を対象としていることから、少なくとも２台以上のエア搬送ファン５０がペリメーターゾーンから奥側ゾーンに向けて間隔を空けて配置されていればよい。また、空気調和システム１における室内機３０の設置台数は、複数台に限られず、１台であってもよい。よって、空気調和システム１の最小構成としては、室内機１台とエア搬送ファン２台ということになる。
【００２５】
この空気調和システム１には更に、空気調和システム１全体を制御する制御装置３が設けられている。なお、図１には室外機２０のみに制御装置３を設けた構成を図示しているが、各室内機３０に制御装置３の機能の一部を持つ室内制御装置を設け、制御装置３と室内制御装置との間でデータ通信を行うことにより連携処理を行う構成にしてもよい。
【００２６】
制御装置３には、室内機３０及びエア搬送ファン５０が通信線（図示せず）により接続されている。制御装置３は、空気調和装置１０の冷房運転又は暖房運転の切り換えを行ったり、空気調和装置１０の冷房運転又は暖房運転のそれぞれに連動してエア搬送ファン５０のＯＮＯＦＦ制御や風量制御、送風方向の制御等を行う。また、制御装置３は、ユーザー操作可能なリモコン４から設定された設定温度Ｔ０と室内機３０に設けた吸込温度検出装置３３により検出された吸込温度Ｔ１との温度差ΔＴ（＝｜Ｔ０−Ｔ１｜）を小さくするように空気調和装置１０を制御する。
【００２７】
図３は、図１の空気調和装置の冷媒回路の構成を示す図である。
空気調和装置１０は、圧縮機２１、四方弁２２、室外熱交換器２３、減圧装置としての膨張弁３４及び室内熱交換器３５が順次配管で接続されて冷媒が循環するように構成された冷媒回路を備えている。空気調和装置１０は更に、室外機２０内に外気を吸入して室外熱交換器２３において冷媒と熱交換させる室外ファン２４と、室内機３０内に空気を吸入して室内熱交換器３５において冷媒と熱交換させて温調を行い、温調空気として室内に供給する室内ファン３６とを備えている。そして、室外機２０に、圧縮機２１、四方弁２２、室外熱交換器２３及び室外ファン２４が設置され、室内機３０に、膨張弁３４、室内熱交換器３５及び室内ファン３６が設置されている。
【００２８】
このように構成された空気調和装置１０は、四方弁２２の切り換えにより冷房運転又は暖房運転が可能となっており、四方弁２２を図３の実線側に切り換えた場合、室内熱交換器３５が蒸発器、室外熱交換器２３が凝縮器となり冷房運転が実施され、四方弁２２を図３の点線側に切り換えた場合、室内熱交換器３５が凝縮器、室外熱交換器２３が蒸発器となり暖房運転が実施される。なお、空気調和装置１０はここでは冷房運転と暖房運転の両方が可能な構成としたが、少なくともどちらか一方の運転が可能であればよく、よって、四方弁２２は必ずしも必須の構成ではなく、省略可能である。
【００２９】
（冷房運転）
空気調和装置１０において、冷房運転時は、圧縮機２１で圧縮された冷媒は高温高圧のガス冷媒となり、四方弁２２を通り室外熱交換器２３に送り込まれる。室外熱交換器２３に流入した冷媒は、室外ファン２４で搬送される室外空気と熱交換し、放熱することにより液化する。液化した冷媒は膨張弁３４で減圧されて気液二相状態となり、室内熱交換器３５に流入する。室内熱交換器３５に流入した冷媒は、室内ファン３６で搬送される室内空気と熱交換し、吸熱することによりガス化し、圧縮機２１へ戻される。室内空気は、室内熱交換器３５における熱交換によって熱を奪われて冷却され、その冷却された空気は、吹出口３１Ａ、３１Ｂからペリメーターゾーンへと吹出され、冷房が行われる。
【００３０】
（暖房運転）
空気調和装置１０において、暖房運転時は、圧縮機２１で圧縮された冷媒は高温高圧のガス冷媒となり、四方弁２２を通り室内熱交換器３５に送り込まれる。室内熱交換器３５に流入した冷媒は、室内ファン３６で搬送される室内空気と熱交換し、放熱することにより液化する。室内空気は、室内熱交換器３５における熱交換によって吸熱して暖められ、その暖められた空気は、吹出口３１Ａ、３１Ｂからペリメーターゾーンへと吹出され、暖房が行われる。室内熱交換器３５で液化した冷媒は膨張弁３４で減圧されて気液二相状態となり、室外熱交換器２３に流入する。室外熱交換器２３に流入した冷媒は、室外ファン２４で搬送される室外空気と熱交換し、吸熱することによりガス化し、圧縮機２１へ戻される。
【００３１】
次に、空気調和システム１の動作について説明する。
図４は、本発明の実施の形態１に係る空気調和システムの動作を示すフローチャートである。
まず、リモコン４から運転開始指示があると（Ｓ１）、制御装置３は、その運転指示内容が冷房運転か又は暖房運転かをチェックし（Ｓ２）、冷房運転であれば、空気調和装置１０を冷房運転させる（Ｓ３）と共に、空気調和装置１０の冷房運転に連動してエア搬送ファン５０に冷房用運転を行わせる（Ｓ４）。空気調和装置１０の冷房運転では、上述したように、設定温度Ｔ０と吸込温度検出装置３３により検知された吸込温度Ｔ１との温度差ΔＴ（＝｜Ｔ０−Ｔ１｜）を小さくするように冷媒回路を制御する運転を行う。エア搬送ファン５０の冷房用運転については後述する。
【００３２】
ステップＳ２において暖房運転であれば、空気調和装置１０を暖房運転させる（Ｓ５）と共に、空気調和装置１０の暖房運転に連動してエア搬送ファン５０に暖房用運転を行わせる（Ｓ６）。空気調和装置１０の暖房運転でも同様に、設定温度Ｔ０と吸込温度検出装置３３により検知された吸込温度Ｔ１との温度差ΔＴ（＝｜Ｔ０−Ｔ１｜）を小さくするように冷媒回路を制御する運転を行う。エア搬送ファン５０の暖房用運転については後述する。
【００３３】
ステップＳ３〜Ｓ６の処理を、運転停止指示があるまで継続し（Ｓ７）、運転停止が指示されると、空気調和装置１０の運転を停止する（Ｓ８）と共に、エア搬送ファン５０の運転も停止する（Ｓ９）。
【００３４】
次にエア搬送ファン５０の冷房用運転及び暖房用運転について説明する。
室内において冷たい空気は室内の下方に移動して滞留し易く、暖かい空気は室内の上方に移動して滞留し易い。よって、この点を踏まえ、エア搬送ファン５０の運転を空気調和装置１０が冷房運転のときと暖房運転のときとで異ならせ、吹出口３１Ａ、３１Ｂからペリメーターゾーンに吹出された温調空気を効率良く奥側ゾーンに到達させて室内の温度分布が均一になるようにしている。以下、具体的に説明する。
【００３５】
（冷房用運転）
図５は、図１のエア搬送ファンの冷房用運転の説明図である。
空気調和装置１０が冷房運転中は、吹出口３１Ａ、３１Ｂからペリメーターゾーンに冷気が吹出される。この冷気は下方に移動しやすいことから、全てのエア搬送ファン５０Ａ〜５０Ｃの吹出角度を、略水平方向とする。これにより、下方に移動しやすい冷気を、効率良く奥側ゾーンに供給できる。また、吹出口３１Ａ、３１Ｂからペリメーターゾーンに吹出された冷気を速やかに奥側ゾーンに供給しつつも、省エネに配慮する観点から、エア搬送ファン５０の配置位置がペリメーターゾーン側から奥側ゾーン側に向かう順に風速・風量が小さくなるように複数のエア搬送ファン５０の回転数制御を行っている。すなわち、吹出口３１Ａ、３１Ｂに近いエア搬送ファン５０Ａ、エア搬送ファン５０Ｂ、エア搬送ファン５０Ｃの順に、風速大（風量大）、風速中（風量中）、風速小（風量小）とする。
【００３６】
このような運転とすることにより、冷房運転時にペリメーターゾーンに吹出された冷気を速やかに奥側ゾーンに供給でき、室内の温度分布を均一にして快適な空調を実施することができる。
【００３７】
（暖房用運転）
図６は、図１のエア搬送ファンの暖房用運転の説明図である。
空気調和装置１０が暖房運転中は、吹出口３１Ａ、３１Ｂからペリメーターゾーンに暖気が吹出される。この暖気は上方に移動しやすいことから、全てのエア搬送ファン５０Ａ〜５０Ｃの吹出角度θを、水平よりも斜め下向き方向とする。そして、そのそれぞれの吹出角度θを、エア搬送ファン５０の配置位置がペリメーターゾーン側から奥側ゾーン側に向かう順に大きくなるようにする。この例では、吹出口３１Ａ、３１Ｂに近いエア搬送ファン５０Ａ、エア搬送ファン５０Ｂ、エア搬送ファン５０Ｃの順に、３０゜、４５゜、６０゜とする。なお、これらの角度は、何れも単なる一例である。
【００３８】
そして、吹出口３１Ａ、３１Ｂから室内に吹出された温調空気を速やかに奥側ゾーンに供給しつつも、省エネに配慮する観点から、上記冷房運転の場合と同様、複数のエア搬送ファン５０において吹出口３１Ａ、３１Ｂから近い側から遠い側の順に、風速・風量が小さくなるように回転数制御を行う。すなわち、吹出口３１Ａ、３１Ｂに近いエア搬送ファン５０Ａ、エア搬送ファン５０Ｂ、エア搬送ファン５０Ｃの順に、風速大（風量大）、風速中（風量中）、風速小（風量小）とする。
【００３９】
このような運転とすることにより、暖房運転時にペリメーターゾーンに吹出された暖気を速やかに奥側ゾーンに供給でき、室内の温度分布を均一にして快適な空調を実施することができる。
【００４０】
以上説明したように、本実施の形態によれば、１又は複数の室内機３０をペリメーターゾーンに集めて配置して室内機３０と室外機２０との間の冷媒配管４０の短尺化を図ると共に、ダクト式の室内機３０Ｂにおける吹出口３１Ｂについても、ペリメーターゾーンに集めて配置してダクト３２の短尺化を図ることにより、システム効率を向上でき、消費電力の低減を図ることができる。  
【００４１】
また、空気調和装置１０と併用してエア搬送ファン５０を用いるにあたり、複数のエア搬送ファン５０をペリメーターゾーンから奥側ゾーンに向けて間隔を空けて配置し、ペリメーターゾーンに吹出された温調空気をいわばリレーして奥側ゾーンに送るようにしたので、温調空気を効率的に奥側ゾーンに送ることができる。
【００４２】
このように、温調空気を奥側ゾーンに送ることで室内の温度ムラを少なくし、暖房効果又は冷房効果を向上させることができるため、室内機３０の設置台数を削減することができる。よって、空気調和システム１の導入コストを抑えることができる。例えば、従来の設置方法で４ｋＷの室内機３０が３台必要であった被調和空間を、１２ｋＷの室内機１台とエア搬送ファン２台で対応可能となる。そして、室内機３０の設置台数の削減により、システム全体としての総冷媒配管長又は総ダクト長を短くすることができるため、消費電力低減が可能である。また、室内機３０の設置台数の削減により、天井面に設ける室内機３０の吹出口３１Ａ、３１Ｂや点検口を減らすことができるため、天井面の意匠性も向上する。
【００４３】
ここで、ペリメーターゾーンに設置したダクト式の室内機３０Ｂにより、奥側ゾーンに設けた吹出口３１Ｂまでダクト３２を介して温調空気を到達させる場合と、ダクト式の室内機３０Ｂ及びその吹出口３１Ｂを両方ともペリメーターゾーンに配置し、エア搬送ファンを用いて温調空気を奥側ゾーンに到達させる場合の消費電力について比較する。
【００４４】
エア搬送ファン５０を用いる場合には、室内機３０を動作させる電力の他に、別途エア搬送ファン５０を動作させるための電力が必要となる。しかし、ダクト式の室内機３０Ｂだけを用いてダクト３２内を通して奥側ゾーンの吹出口３１Ｂまで空気を到達させるのと、天井に設けたエア搬送ファン５０により奥側ゾーンに温調空気を到達させるのとでは、エア搬送ファン５０による方法の方が圧損が低いため、ファン入力も小さく、消費電力としては少なくて済む。よって、エア搬送ファン５０を別途設けることによりエア搬送ファン駆動分の消費電力が必要になったとしても、システム全体としてみれば低消費電力とすることができ、省エネ運転を実現できるのである。
【００４５】
また、エア搬送ファン５０の運転を、空気調和装置１０の運転モードに応じて異ならせ、それぞれの運転モード時における室内の温度ムラを効率良く解消可能な運転としたので、低消費電力としながら室内の温度分布を速やかに均一化することができる。また、空気調和装置１０の空調負荷が小さくなるにつれ、エア搬送ファン５０の風速を下げるようにしてもよい。また、４台一列の各組のエア搬送ファン５０の風速は全て同じでもよいし、異ならせてもよい。
【００４６】
ところで、室内機３０がペリメーターゾーンに配置されるため、室外機２０は冷媒配管４０を短くする観点からペリメーターゾーン近くの外壁に面して設置されることになる。このため、夏季の冷房運転時に直射日光を受けやすい場所に室外機２０を設置することになる場合には、その直射日光により室外熱交換器（凝縮器）２３が高温になりやすい。よって、その対策として、室外機２０に直射日光を遮るための遮蔽物を設置するようにしてもよい。また、冷房運転中は常時、室内熱交換器３５にて凝縮したドレン水を機外に導いて排水しているが、そのドレン水をその遮蔽物や室外機２０に直接かけ流して室外熱交換器２３を冷却するようにしてもよい。
【００４７】
実施の形態２．
実施の形態１では、空気調和装置１０が暖房運転を行う点について説明したが、暖房運転時において室外熱交換器２３周囲の外気温度が低く、蒸発温度が０℃より低い場合、室外熱交換器２３に霜が付着する。霜が付着すると、室外熱交換器２３を通過する空気の風量低下及び熱抵抗の増大により暖房能力が低下する。このため、定期的に霜を取り除く霜取り運転が必要となってくる。
【００４８】
霜取り運転では、リバース除霜が行われる。リバース除霜は、暖房運転時と冷媒の流れを逆にすることで、室内熱交換器３５を蒸発器、室外熱交換器２３を凝縮器とすることで室外熱交換器２３の霜を溶かすものである。霜取り運転中は室内暖房が行われておらず、室温低下を招くことから霜取り時間は短くすることが望まれる。よって、室内ファン３６を運転し、室内機３０側の蒸発能力を上げることで冷媒循環量を増加させ、霜取り時間の短縮を図っている。しかし、霜取り運転中は室内熱交換器３５が蒸発器となるため、室内ファン３６を駆動していると、吹出口３１Ａ、３１Ｂから冷風が吹出してしまう。このため、在室者に冷風が当たり不快感を与えてしまうという課題がある。
【００４９】
実施の形態２は、このような場合に好適なエア搬送ファン５０の制御に関するものである。空気調和システム１の構成等は図１に示した実施の形態１と同様である。
【００５０】
実施の形態２の空気調和システム１では、霜取り運転中、室内機３０の室内ファン３６を運転して霜取り時間の短縮を図りつつも、冷風が当たって不快感を与えてしまう不都合を解消するため、実施の形態１において図５に示した冷房用運転と同様の運転を行う。
【００５１】
これにより、吹出口３１Ａ、３１Ｂから冷気が吹出されたとしても、その冷気はエア搬送ファン５０によって奥側ゾーンへと拡散される。よって、霜取り運転中に室内ファン３６を運転したままでも、吹出口３１Ａ、３１Ｂ近傍の在室者に冷風感を与えてしまう不都合を低減できる。よって、快適性を損なわずに霜取りを早急に終了させることができる。
【００５２】
このように、実施の形態２によれば、実施の形態１と同様の効果が得られると共に、暖房運転中の霜取り運転時に、快適性を損なわずに、短時間で霜取り運転を完了することが可能となる。
【００５３】
また、エア搬送ファン５０にヒーターなどの加熱装置を内蔵し、霜取り運転時に加熱装置をＯＮにすることで、冷気を加熱して室内に提供するようにしてもよい。
【００５４】
また、エア搬送ファン５０の配置が示されている各図（図１、図２、図５及び図６）において、ペリメーターゾーンの壁側から室内機３０、エア搬送ファン５０Ａの配置順となっているが、エア搬送ファン５０Ａを更に窓２際に移動させてエア搬送ファン５０Ａ、室内機３０の配置順としてももちろんよい。
【符号の説明】
【００５５】
１  空気調和システム、２  窓、３  制御装置、４  リモコン、１０  空気調和装置、２０  室外機、２１  圧縮機、２２  四方弁、２３  室外熱交換器、２４  室外ファン、３０  室内機、３０Ａ  室内機、３０Ｂ  室内機、３１Ａ  吹出口、３１Ｂ  吹出口、３２  ダクト、３３  吸込温度検出装置、３４  膨張弁、３５  室内熱交換器、３６  室内ファン、４０  冷媒配管、５０  エア搬送ファン、５０Ａ  エア搬送ファン、５０Ｂ  エア搬送ファン、５０Ｃ  エア搬送ファン。
【図１】
0005818620.tif 000002
【図２】
0005818620.tif 000003
【図３】
0005818620.tif 000004
【図４】
0005818620.tif 000005
【図５】
0005818620.tif 000006
【図６】
0005818620.tif 000007